(57)【特許請求の範囲】
【請求項１】
表面側に２本の平行な半切線を形成し、その２本の半切線の幅よりも狭幅の２本の平行な半切線を裏面側に形成した帯状のジッパー部分を有する板紙製のブランクシートからなり、表面側の２本の半切線と裏面側の２本の半切線のそれぞれが周回して重なる状態で一方の端縁部の裏側と他方の端縁部の表側とを貼着することで筒状とされ、表面側の２本の半切線の幅に相当する開封用の摘み部分が端縁部から突出して設けられた紙容器であって、裏面側の２本の半切線の間を縦断するようにして裏面側からの補助半切線を少なくとも１本追加形成したことを特徴とする紙容器。
【発明の詳細な説明】
【技術分野】
【０００１】
本発明は、開封機構の付いた筒状の紙容器の技術分野に属し、詳しくは、帯状の引裂ジッパー部を備えた紙容器に関するものである。
【背景技術】
【０００２】
従来より、菓子類等を収納する筒状の紙容器として、ミシン目状の切目線からなるジッパーを始めとして様々な開封機構を備えたものが知られているが、密封性を考慮したものとして、表面側に２本の平行な半切線（ハーフカット）を形成し、その２本の半切線の幅よりも狭幅の２本の平行な半切線（ハーフカット）を裏面側に形成した帯状の引裂ジッパーを有したものが知られている。そして、開封の便宜を考慮して、表面側の２本の半切線の幅に相当する摘み部分を端縁部に設けたものも使用されている。この引裂ジッパーを有する紙容器は、摘み部分を引っ張ると、表面側の半切線と裏面側の半切線とで挟まれた２条の部分で紙が層間剥離を起こすことによって開封することができる。
【０００３】
【特許文献１】実開昭５７−１３４７３号公報
【特許文献２】特開平８−２５８８３３号公報
【発明の開示】
【発明が解決しようとする課題】
【０００４】
上記の引裂ジッパーを備えた紙容器は、表裏両面にそれぞれ半切線を２本ずつ入れたブランクシートを組み立てて製造されるが、これらの半切線は打抜機でブランクシートを打ち抜くのと同時に両面から短い切刃により入れられている。したがって、半切線の深さ管理が難しく、紙の厚みによっては貫通したり切れが甘くなったりする。特に、裏面側の半切線についてはその管理が難しく、生産性と品質に影響を与えている。
【０００５】
また、摘み部分は表面側の２本の半切線の幅で端縁部に設けられるが、摘み部分の外形を打ち抜く切刃と表面側及び裏面側の半切線を形成する切刃は、近づけることができるだけで交差させることがないため、ブランクシートを打ち抜いた時に摘み部分の根元はいずれの半切線にもつながらず、両者の間に切れていない部分が残ることから、摘み部分を注意深く引っ張らないとうまく開封できない場合が生じていた。
【０００６】
本発明は、このような問題点に鑑みてなされたものであり、その目的とするところは、生産性や品質が良好であり、開封性に優れた引裂ジッパーを有する紙容器を提供することにある。
【課題を解決するための手段】
【０００７】
上記の目的を達成するため、本発明の紙容器は、表面側に２本の平行な半切線を形成し、その２本の半切線の幅よりも狭幅の２本の平行な半切線を裏面側に形成した帯状のジッパー部分を有する板紙製のブランクシートからなり、表面側の２本の半切線と裏面側の２本の半切線のそれぞれが周回して重なる状態で一方の端縁部の裏側と他方の端縁部の表側とを貼着することで筒状とされ、表面側の２本の半切線の幅に相当する開封用の摘み部分が端縁部から突出して設けられた紙容器であって、裏面側の２本の半切線の間を縦断するようにして裏面側からの補助半切線を少なくとも１本追加形成したことを特徴とする。
【発明の効果】
【０００８】
本発明の紙容器は、摘み部分を引っ張って開封しようとすると、摘み部分の下側にある他方の端縁部は摘み部分にくっついて紙の層間剥離を起こし、この他方の端縁部における紙の層間剥離に連続して、表面側の半切線と裏面側の半切線とで挟まれた２条の部分が層間剥離を起こすことによりジッパー部分の開封が開始される。そして、力の掛かり具合などが原因して開封途中でジッパー部分が片側の半切線から内側にそれて偏るような事態が起きたとしても、補助半切線のところで止まり、ジッパー部分が途中で千切れることなく最後まで開封することができる。また、表裏両面それぞれに２本ずつある開封用の半切線と裏側の補助半切線は、すべてカットロールで形成することが可能であるため、少ない斤量の用紙でも一定した深さで正確に形成することができ、密封性や開封性に優れた品質の良好なものを効率良く生産することができる。
【発明を実施するための最良の形態】
【０００９】
次に、本発明の実施の形態について図面を参照しながら詳細に説明する。
【００１０】
図１は本発明に係る紙容器の一例を示す斜視図、図２は図１に示す紙容器を組み立てるブランクの展開図である。
【００１１】
ブランクシートは、表面に熱融着性樹脂を有する板紙を打ち抜いたもので、図２に示すように、折線を介してそれぞれが縦長の前面パネル１、側面パネル２、背面パネル３、側面パネル４及び糊代片５が順次横に並んで連設されており、前面パネル１の上下にはそれぞれ折線を介して内側上面パネル６、内側底面パネル７が連設され、側面パネル２の上下にはそれぞれ折線を介して上側折込みパネル８、下側折込みパネル９が連設され、背面パネル３の上下にはそれぞれ折線を介して外側上面パネル１０、外側底面パネル１１が連設され、側面パネル４の上下にはそれぞれ折線を介して上側折込みパネル１２、下側折込みパネル１３が連設されている。
【００１２】
このブランクシートには、図示の如く、前面パネル１、側面パネル２、背面パネル３、側面パネル４及び糊代片５を横断する状態で帯状のジッパー部分Ｇ1 ，Ｇ2 が上下に平行に設けられている。
【００１３】
下側のジッパー部分Ｇ2 は、表面側に２本の平行な半切線ａを形成し、その２本の半切線ａの幅よりも狭幅の２本の平行な半切線ｂを裏面側に形成したものであり、表面側の２本の半切線ａの幅に相当する摘み部分１５が前面パネル１の端縁部に突出して設けられている。
【００１４】
上側のジッパー部分Ｇ1 は、広い開封部を形成するために下側のジッパー部分Ｇ2 よりも幅が広くなっている。そして、下側のジッパー部分Ｇ2 と同様、表面側に２本の平行な半切線ａを形成し、その２本の半切線ａの幅よりも狭幅の２本の平行な半切線ｂを裏面側に形成し、表面側の２本の半切線ａの幅に相当する摘み部分１４が前面パネル１の端縁部に突出して設けられた形状になっているが、この幅広のジッパー部分Ｇ1 では、裏面側の２本の半切線ｂの間に１本の補助半切線ｃを追加している。すなわち、裏面側の２本の半切線ｂの中央を縦断するようにして裏面側からの半切線ｃを１本追加形成している。
【００１５】
また、このブランクシートには、ジッパー部分Ｇ1 ，Ｇ2 における糊代片５のところには、その表側部分に幅方向の切れ目線ｄが３本設けられている。これらの切れ目線ｄは、裏面側の２本の半切線ｂの間で端縁と平行に延び、その裏面側の半切線ｂから斜め方向に表面側の半切線ａに至るまで設けられている。この切れ目線ｄは、図２の形態に限るものではなく、少なくとも裏面側の２本の半切線ｂよりも外側に延びる長さであればよい。また、複数本設けてもよいが、少なくとも１本あればよい。また、形状についても後述する剥がれやすさを考慮して適宜設計すればよいものである。
【００１６】
開封用としての表裏両面の半切線ａ，ｂと裏面側の補助半切線ｃはいずれもブランク打抜き時より前に予めカットロールで形成されている。また、糊代片５にある切れ目線ｄはブランク打抜き時に形成されている。
【００１７】
開封用の半切線ａ，ｂと裏面側の補助半切線ｃを形成する際に使用するカットロールは、円板の外周に刃を突出形成した形状をした公知のもので、連続状態の用紙を送りながらこのカットロールを押し当てることで用紙に対して一定の深さの半切線（ハーフカット）を形成するようになっている。例えば、シート断ち機にカットロールを取り付け、このシート断ち機で用紙を所定幅に切断すると同時に、表面側の半切線ａと裏面側の半切線ｂ及び補助半切線ｃを一度に形成する。また、切れ目線ｄは、切断刃を追加した打抜き機を使用することよりブランクシートを打ち抜く時に同時に形成する。
【００１８】
このように、表裏両面それぞれに２本ずつある半切線と補助半切線は、カットロールで形成するので、少ない斤量の用紙でも一定した深さで正確に形成することができる。また、開封箇所を増やす場合、打抜きと同時に入れる従来の方法では半切箇所が多くなって品質が安定しなかったが、カットロールを用いることにより、数を容易に増やすことができる。
【００１９】
図２のブランクシートから図１の紙容器を組み立てるには、前面パネル１を糊代片５に貼着することによって全体をサック貼りし、このサック貼り状態で充填工程に供給した後、角筒状に起こし、底部を閉じてから内容物を入れて上部を閉じる。すなわち、下側折込みパネル９，１３を折り込んでから内側底面パネル７、外側底面パネル１１を折り畳んで貼着することによって底部を閉じ、内容物を入れてから、上側折込みパネル８，１２を折り込んでから内側上面パネル６、外側上面パネル１０を折り畳んで貼着することによって上部を閉じる。
【００２０】
このようにして製造された紙容器は、図１に示すように、前面パネル１の端縁部から上下２つの摘み部分１４，１５が僅かに突き出た状態となる。この紙容器の場合、開け方としては、例えば、最初に上側のジッパー部分Ｇ1 を開け、それより上の部分を除去して中身を消費した後、下側のジッパー部分Ｇ2 を開け、それより上の部分を除去して中身を消費する。もちろん、内容物に応じて２本のジッパー部分を適宜開ければよい。
【００２１】
上側のジッパー部分Ｇ1 を開封する場合、摘み部分１４を摘んで引っ張る。すると、摘み部分１４の下側にある糊代片５が切れ目線ｄのところから摘み部分１４と一体となって紙の層間剥離を起こし、次いで、図３に示すように、表面側の半切線ａと裏面側の半切線ｂとで挟まれた２条の部分で紙の層間剥離を起こすことによって開封が開始される。すなわち、摘み部分１４の貼着部分で紙の層間剥離を起こし、それに連れて一定した深さの半切線ａ，ｂに沿って２条の細い帯状部分で紙の層間剥離が行われる。したがって、切れ目線ｄを設けておくことにより、開始位置がずれて裂けるような事態が防止され、綺麗に層間剥離を起こして開封を開始することができる。
【００２２】
上側のジッパー部分Ｇ1 は、下側のジッパー部分Ｇ2 より幅広に設定してあるため、摘み部分１４を引っ張るときに紙の層間剥離を起こす２条の細い帯状部分に均等に力が掛からないことが起こりやすい。そして、ジッパー部分Ｇ1 の両側に力が均等に掛からないと、開封の途中でジッパー部分Ｇ1 が片側の半切線から内側にそれる現象が発生する。このような事態が生じても、図４（中身を省略して容器のみを図示している）に示すように、開封部のそれは補助半切線ｃのところで止まり、ジッパー部分Ｇ1 が途中で千切れることなく最後まで開封することができる。
【００２３】
すなわち、ジッパー部分は幅が広くなればなるほど開封途中で千切れやすくなる傾向があるが、裏面側の２本の半切線の間に補助半切線を追加することにより、途中で切れなくすることができる。この補助半切線は、１本に限るものではなく、複数本形成するようにしてもよいし、また、裏面側の２本の半切線に平行でなくても構わない。これらの条件は、紙容器の形状等に応じて適宜設計すればよいものである。
【００２４】
以上、本発明の実施の形態について詳細に説明してきたが、本発明による紙容器は、上記実施の形態に何ら限定されるものではなく、本発明の趣旨を逸脱しない範囲において種々の変更が可能であることは当然のことである。
【００２５】
例えば、上記の例では、筒状の紙容器の形状を断面が矩形状で上下に細長い形状としたが、このような形状に限るものではない。例えば、円筒形状や円錐形状でもよいし、或いは円筒形状の下方を偏平にしたような形状でもよい。
【００２６】
また、上記の例では、幅広のジッパー部分Ｇ1 と細幅のジッパー部分Ｇ2 を上下に２本並んで設けたが、この数は用途に応じて適宜決めればよいものであり、１本でも構わないし３本以上でも構わない。
【００２７】
また、上記の例では、表裏両面それぞれに２本ずつある半切線ａ，ｂと補助半切線ｃをブランク打抜き時より前に予めカットロールで形成したが、打抜き後のブランクシートにカットロールを押し当てて形成することも可能である。
【００２８】
また、上記の例では、補助半切線ｃをブランクを横断する状態で形成したが、この補助半切線ｃは摘み部分１４から離れて途中から形成してもよく、このような補助半切線を形成する場合は、断続的に刃を突出形成したカットロールを使用すればよい。
【図面の簡単な説明】
【００２９】
【図１】本発明に係る紙容器の一例を示す斜視図である。
【図２】図１に示す紙容器を組み立てるブランクシートの展開図である。
【図３】図１に示す紙容器を開封する様子を示す斜視図である。
【図４】図１に示す紙容器を開封する様子を図３に続いて示す斜視図である。
【符号の説明】
【００３０】
Ｇ1 ，Ｇ2 ジッパー部分
ａ  半切線（表面側）
ｂ  半切線（裏面側）
ｃ  補助半切線
ｄ  切れ目線
１  前面パネル
２  側面パネル
３  背面パネル
４  側面パネル
５  糊代片
６  内側上面パネル
７  内側底面パネル
８  上側折込みパネル
９  下側折込みパネル
１０  外側上面パネル
１１  外側底面パネル
１２  上側折込みパネル
１３  下側折込みパネル
１４，１５  摘み部分
【図１】
0005115841.tif 000002
【図２】
0005115841.tif 000003
【図３】
0005115841.tif 000004
【図４】
0005115841.tif 000005